(57)【要約】【課題】より効率的且つ効果的に排ガス中のＮＯｘを低減させることを可能にした焼却設備を提供する。【解決手段】被焼却物１を搬送させながら燃焼させる燃焼部７と、被焼却物１が燃焼することで発生する燃焼ガスＲを外部に導く燃焼ガス流路１２と、燃焼部７に対して一次燃焼空気Ｓ１を供給する一次燃焼空気供給部１０と、燃焼ガス流路１２に対して二次燃焼空気Ｓ２を供給する二次燃焼空気供給部１８と、燃焼ガス流路１２を流通した燃焼ガスＲを処理した後の排ガスＲ’を、一次燃焼空気供給部１０と二次燃焼空気供給部１８の間の燃焼ガス流路１２に還流させ、再循環排ガスＳ３として供給する再循環排ガス供給部２５と、二次燃焼空気供給部１８と再循環排ガス供給部２５の間の燃焼ガス流路１２に脱硝薬剤Ｐ１を供給する第１脱硝薬剤供給部２６とを備える。【選択図】図１
2014102020.tif 000002
【特許請求の範囲】
【請求項１】
被焼却物を搬送させながら燃焼させる燃焼部と、
被焼却物が燃焼することで発生する燃焼ガスを外部に導く燃焼ガス流路と、
前記燃焼部に対して一次燃焼空気を供給する一次燃焼空気供給部と、
前記燃焼ガス流路に対して二次燃焼空気を供給する二次燃焼空気供給部と、
前記燃焼ガス流路を流通した前記燃焼ガスを処理した後の排ガスを、前記一次燃焼空気供給部と前記二次燃焼空気供給部の間の前記燃焼ガス流路に還流させ、再循環排ガスとして供給する再循環排ガス供給部と、
前記二次燃焼空気供給部と前記再循環排ガス供給部の間の前記燃焼ガス流路に脱硝薬剤を供給する第１脱硝薬剤供給部とを備えていることを特徴とする焼却設備。
【請求項２】
請求項１記載の焼却設備において、
前記二次燃焼空気供給部よりも前記燃焼ガスの流通方向下流側に脱硝薬剤を供給する第２脱硝薬剤供給部を備えていることを特徴とする焼却設備。
【請求項３】
請求項１または請求項２に記載の焼却設備において、
前記燃焼部と前記第１脱硝薬剤供給部の間、且つ前記燃焼部の被焼却物の搬送方向下流端側の内部ガスを抜き出し、前記二次燃焼空気供給部から前記二次燃焼空気とともに前記燃焼ガス流路に供給する内部ガス引抜供給部を備えていることを特徴とする焼却設備。
【発明の詳細な説明】
【技術分野】
【０００１】
本発明は、焼却設備に関する。
【背景技術】
【０００２】
例えば都市ごみなどの被焼却物を焼却処理するためのストーカ式の焼却設備は、被焼却物を一時的に貯留するホッパと、ホッパからシュート部を通じて連続的にフィードテーブル上に供給された被焼却物を所定のストロークで進退移動して焼却炉内に押し出し投入するフィーダと、焼却炉（燃焼ガス流路）の底部側に、金属製の固定火格子とごみの流れ方向に往復運動する可動火格子を交互に配置してなるストーカ（燃焼部）と、ストーカの下方に設けられ、ストーカの各部に一次燃焼空気を供給するための風箱（一次燃焼空気供給部）とを備えて構成されている。
【０００３】
また、この種の焼却設備においては、焼却炉内のストーカが、フィーダによって押し出されて焼却炉内に落下した被焼却物を受け、被焼却物の水分を蒸発させるとともに一部熱分解するための乾燥ストーカ部と、下方の風箱から供給される一次燃焼空気によって、乾燥ストーカ部で乾燥した被焼却物に着火させ、揮発分および固定炭素分を燃焼させる燃焼ストーカ部と、燃焼ストーカ部で燃焼されずに通過してきた固定炭素分等の未燃分を完全に灰になるまで燃焼させる後燃焼ストーカ部とを備えている。また、被焼却物の搬送方向上流端側から下流端側に順に乾燥ストーカ部、燃焼ストーカ部、後燃焼ストーカ部が配設されるとともに、前記搬送方向下流端側の後燃焼ストーカ部の出口に灰出し口が設けられ、この灰出し口を通じて焼却炉から灰を排出するように構成されている。
【０００４】
また、焼却炉は、その内部が燃焼ガス流路を形成し、ストーカの上方の燃焼ガス流路が一次燃焼室、一次燃焼室のさらに上方が二次燃焼室とされている。そして、一次燃焼室で生じた燃焼ガスが、二次燃焼空気と混合されて二次燃焼室に送られ、この二次燃焼室で燃焼ガス中の未燃成分を燃焼させる。また、二次燃焼室の後流に熱回収ボイラが接続して配設され、焼却炉の排熱を回収して有効利用できるように構成されている。さらに、熱回収ボイラで熱回収された排ガスは、減温塔、除塵装置等の排ガス処理設備を通過して処理され、煙突から外部に排出される。
【０００５】
一方、焼却設備には、焼却炉内の燃焼排ガス中にアンモニアや尿素などの脱硝薬剤を供給する手段（脱硝薬剤供給部）、いわゆる無触媒脱硝システムを備え、脱硝薬剤を供給することで、焼却過程で生成されて燃焼ガス（排ガス）中に含まれるＮＯｘを還元して低減・無害化させるように構成したものがある。また、例えば、脱硝薬剤としてアンモニアを用いた場合、被焼却物を燃焼することで発生するＮＯとＮＨ３は８００〜１０００℃の温度範囲で好適に還元反応が生じ、また、被焼却物が十分に燃焼した後の領域に脱硝薬剤を供給することが必要になる。このため、一般に、この種の焼却設備では、二次燃焼空気の供給口（供給ノズル、二次燃焼空気供給部）よりも燃焼ガス流通方向下流側に脱硝薬剤を噴霧して供給するように構成されている（例えば、特許文献１参照）。
【０００６】
また、焼却設備には、排ガス処理設備で処理した排ガスの一部を再循環排ガスとして抽出し、この抽出した再循環排ガスを二次燃焼空気の供給口とストーカの間の一次燃焼室に還流させるようにしたものがある。このように再循環排ガスを供給すると、一次燃焼室の雰囲気を弱還元性の雰囲気にすることができ、さらに再循環排ガスの供給によって撹拌混合され、この部分のガス濃度や温度を均一化することができる。これにより、未燃ガス成分や未燃物を完全燃焼させることができ、ＮＯｘの発生を抑えることが可能になる。
【先行技術文献】
【特許文献】
【０００７】
【特許文献１】特開２００９−１０３３８１号公報
【発明の概要】
【発明が解決しようとする課題】
【０００８】
ここで、例えば特許文献１に開示された焼却設備では、焼却炉内の温度分布を計測あるいはシミュレーションにより推定し、８００〜１０００℃の温度範囲の領域に脱硝薬剤を噴霧するようにしている。このため、焼却炉内（燃焼ガス流路）の温度分布の計測手段やシミュレーション装置を組み込むことが必要になり、複雑かつ高価な装置構成になるという問題があった。
【課題を解決するための手段】
【０００９】
本発明の焼却設備は、被焼却物を搬送させながら燃焼させる燃焼部と、被焼却物が燃焼することで発生する燃焼ガスを外部に導く燃焼ガス流路と、前記燃焼部に対して一次燃焼空気を供給する一次燃焼空気供給部と、前記燃焼ガス流路に対して二次燃焼空気を供給する二次燃焼空気供給部と、前記燃焼ガス流路を流通した前記燃焼ガスを処理した後の排ガスを、前記一次燃焼空気供給部と前記二次燃焼空気供給部の間の前記燃焼ガス流路に還流させ、再循環排ガスとして供給する再循環排ガス供給部と、前記二次燃焼空気供給部と前記再循環排ガス供給部の間の前記燃焼ガス流路に脱硝薬剤を供給する第１脱硝薬剤供給部とを備えていることを特徴とする。
【００１０】
また、本発明の焼却設備においては、前記二次燃焼空気供給部よりも前記燃焼ガスの流通方向下流側に脱硝薬剤を供給する第２脱硝薬剤供給部を備えていることが望ましい。
【００１１】
さらに、本発明の焼却設備においては、前記燃焼部と前記第１脱硝薬剤供給部の間、且つ前記燃焼部の被焼却物の搬送方向下流端側の内部ガスを抜き出し、前記二次燃焼空気供給部から前記二次燃焼空気とともに前記燃焼ガス流路に供給する内部ガス引抜供給部を備えていることがより望ましい。
【発明の効果】
【００１２】
本発明の焼却設備においては、排ガス処理設備で処理された排ガスの一部を再循環排ガスとして一次燃焼空気供給部と二次燃焼空気供給部の間の燃焼ガス流路（一次燃焼室）に還流させることにより、再循環排ガスによってこの部分の燃焼ガスを撹拌混合し、ガス成分の濃度や温度を均一化させることができる。
【００１３】
そして、このように再循環排ガスの供給によって撹拌混合され、例えば９５０〜１０００℃前後の温度で、且つ１〜２ｖｏｌ％程度以下の酸素濃度で均一化された二次燃焼空気供給部と再循環排ガス供給部の間に、第１脱硝薬剤供給部から脱硝薬剤を供給すると、短時間で、効率的且つ効果的にＮＯｘを低減することが可能になり、例えば７０％を超える高脱硝率を実現することが可能になる。
【００１４】
よって、本発明の焼却設備によれば、従来のように焼却炉内の温度分布の計測手段やシミュレーション装置を組み込むことを不要にし、再循環排ガス供給部を設けるとともに、二次燃焼空気供給部と再循環排ガス供給部の間に脱硝薬剤を供給する第１脱硝薬剤供給部を設けるという構成によって、効率的且つ効果的にＮＯｘを低減させることが可能になる。
【図面の簡単な説明】
【００１５】
【図１】本発明の一実施形態に係る焼却設備を示す図である。
【図２】燃焼ガスの酸素濃度の違いによる燃焼ガス温度と脱硝率の関係を示す図である。
【図３】本発明の一実施形態に係る焼却設備の変更例を示す図である。
【発明を実施するための形態】
【００１６】
以下、図１及び図２を参照し、本発明の一実施形態に係る焼却設備について説明する。なお、本実施形態は、都市ごみなどの被焼却物を焼却処理するための焼却設備に関するものである。
【００１７】
本実施形態の焼却設備（焼却プラント）Ａは、図１に示すように、被焼却物１を一時的に貯留するホッパ（ホッパシュート）２と、被焼却物１を燃焼させる焼却炉３と、ホッパ２からシュート部２ａを通じて連続的にフィードテーブル４上に供給された被焼却物１を所定のストロークで進退移動して焼却炉３内に押し出し投入するフィーダ５と、フィーダ５をフィードテーブル４上で進退移動させるためのフィーダ駆動装置６と、焼却炉３の底部側に、金属製の固定火格子とごみの流れ方向に往復運動する可動火格子を交互に配置してなるストーカ７と、送風機８から一次燃焼空気Ｓ１をストーカ７の各部に風箱９を通じて供給する一次燃焼空気供給部１０とを備えて構成されている。
【００１８】
また、ストーカ７は、本発明にかかる燃焼部であり、フィーダ５によって押し出されて焼却炉３内に落下した被焼却物１を受け、この被焼却物１の水分を蒸発させるとともに一部熱分解するための乾燥ストーカ部Ｍ１と、下方の風箱９から供給される一次燃焼空気Ｓ１によって、乾燥ストーカ部Ｍ１で乾燥した被焼却物１に着火させ、揮発分および固定炭素分を燃焼させる燃焼ストーカ部Ｍ２と、燃焼ストーカ部Ｍ２で燃焼されずに通過してきた固定炭素分等の未燃分を完全に灰になるまで燃焼させる後燃焼ストーカ部Ｍ３とを備えている。また、後燃焼ストーカ部Ｍ３の出口に灰出し口１１が設けられ、この灰出し口１１を通じて焼却炉３から灰を排出するように構成されている。
【００１９】
また、焼却炉３は、その内部が燃焼ガス流路１２とされ、さらに燃焼ガス流路１２の焼却炉３内は、ストーカ７の上方が一次燃焼室１３、一次燃焼室１３の上方が二次燃焼室１４とされ、燃焼ガスＲがストーカ７から一次燃焼室１３、一次燃焼室１３から二次燃焼室１４に向け、下方から上方に流通する。さらに、焼却炉３には、二次燃焼室１４の燃焼ガスＲの流通方向下流側に熱回収ボイラ１５が接続して配設されている。さらに、焼却炉３には、焼却炉３の炉壁に取り付けた供給ノズル１７を通じて送風機（不図示）から燃焼ガス流路１２に二次燃焼空気Ｓ２を供給する二次燃焼空気供給部１８が設けられている。
【００２０】
また、熱回収ボイラ１５で熱回収された排ガスＲ’は、減温塔１９、除塵装置（バグフィルタ）２０などの排ガス処理設備２１を通過して処理され、煙突２２から外部に排出される。
【００２１】
さらに、本実施形態の焼却設備Ａには、排ガス処理設備２１で処理した後の排ガスＲ’を、一次燃焼空気供給部１０と二次燃焼空気供給部１８の間の燃焼ガス流路１２、すなわち一次燃焼室１３に送風機２３によって還流させ、炉壁に設けられた供給ノズル２４を通じ、再循環排ガスＳ３として供給する再循環排ガス供給部２５を備えている。
【００２２】
さらに、二次燃焼空気供給部１８と再循環排ガス供給部２５の間の燃焼ガス流路１２（一次燃焼室１３）に脱硝薬剤Ｐ１を供給する第１脱硝薬剤供給部２６を備えている。さらに、二次燃焼空気供給部１８よりも燃焼ガスＲの流通方向下流側（二次燃焼室１４）に脱硝薬剤Ｐ２を供給する第２脱硝薬剤供給部２７を備えている。また、第１脱硝薬剤供給部２６と第２脱硝薬剤供給部２７はそれぞれ、アンモニア水や尿素水などの脱硝薬剤Ｐ１、Ｐ２の貯蔵タンク（不図示）、送液ポンプ（不図示）、炉壁に設けられた供給ノズル３０、３１を備えて構成されている。
【００２３】
そして、上記構成からなる本実施形態の焼却設備Ａで被焼却物１を焼却処理する際には、フィーダ５の駆動によって焼却炉３内のストーカ７上に落下した被焼却物１が、火格子の往復運動によって順次、乾燥ストーカ部Ｍ１、燃焼ストーカ部Ｍ２、後燃焼ストーカ部Ｍ３に搬送される。また、このとき、下方の風箱９から一次燃焼空気Ｓ１が、例えば空気比を０．８〜１．０程度として各ストーカ部Ｍ１、Ｍ２、Ｍ３に供給され、この一次燃焼空気Ｓ１によって被焼却物１が燃焼する。また、順次搬送されながら被焼却物１が燃焼し、後燃焼ストーカ部Ｍ３の出口に設けられた灰出し口１１から灰が外部に排出される。
【００２４】
ここで、往復運動するストーカ７の火格子上の被焼却物１に下方から供給されて、この被焼却物１を燃焼させるための一次燃焼空気Ｓ１はその流速がそれほど速くはない。また、一次燃焼空気Ｓ１で被焼却物１を燃焼させて発生した燃焼ガスＲは、一次燃焼室１３内において、そのガス成分の濃度や温度に分布が生じる。このため、一次燃焼空気Ｓ１と燃焼ガスＲとの混合に時間を要し、その成分が燃焼しきるまでに時間がかかる。
【００２５】
このため、本実施形態の焼却設備Ａでは、従来と同様に、焼却炉３内の一次燃焼室１３から上方に流れる燃焼ガスＲに対して、焼却炉３の燃焼ガス流路１２の途中で二次燃焼空気Ｓ２を例えば空気比０．２〜０．４程度で供給するようにし、燃焼ガスＲの未燃ガス成分の燃焼を促進させる。
【００２６】
一方、上記のように被焼却物１を燃焼させる過程で、未燃ガスや未燃物の発生・燃焼に伴いＮＯｘが発生し、特に一次燃焼空気Ｓ１で被焼却物１を焼却した後の一次燃焼室１３内で多く発生する。
【００２７】
これに対し、本実施形態の焼却設備Ａでは、まず、焼却炉３から熱回収ボイラ１５に送られ、この熱回収ボイラ１５で熱回収され、さらに排ガス処理設備２１の減温塔１９、除塵装置２０などで順次処理された排ガスＲ’の一部、例えば全排ガス量の１０〜３０％程度の排ガスＲ’を、再循環排ガスＳ３として一次燃焼空気供給部１０と二次燃焼空気供給部１８の間の燃焼ガス流路１２、すなわち一次燃焼室１３に還流させる。そして、このように再循環排ガスＳ３を一次燃焼室１３に供給すると、一次燃焼室１３の燃焼ガスＲが再循環排ガスＳ３によって撹拌混合される。これにより、一次燃焼室１３内のガス成分の濃度や温度が均一化され、且つ還元雰囲気で未燃ガスや未燃物の燃焼が促進され、これに伴い、ＮＯｘの発生が抑制される。
【００２８】
なお、フレッシュエアを一次燃焼室１３に供給し、一次燃焼室１３の燃焼ガスＲを撹拌混合させることも考えられるが、フレッシュエア中の成分によってＮＯｘが発生しやすくなる。
【００２９】
次に、本実施形態の焼却設備Ａでは、脱硝薬剤供給部２６、２７から焼却炉３内の燃焼ガスＲ中に、アンモニア水や尿素水などの脱硝薬剤Ｐ１、Ｐ２を供給する。このように脱硝薬剤Ｐ１、Ｐ２を供給すると、焼却過程で生成されて燃焼ガスＲ（排ガスＲ’）中に含まれるＮＯｘに還元反応が生じ、排ガスＲ’中のＮＯｘが低減する。
【００３０】
ここで、本願の発明者らは、脱硝薬剤Ｐ１、Ｐ２によるＮＯｘ低減効果に関して種々検討を行い、図２に示す燃焼ガスＲ中の酸素濃度の違いによる燃焼ガス温度と脱硝率の関係の知見をその成果として得ることができた。すなわち、この図２に示すように、燃焼ガスＲの酸素濃度が低くなるほど、脱硝率が高くなり、供給した脱硝薬剤Ｐ１、Ｐ２によって効率的にＮＯｘを低減できることが確認された。さらに、９００℃を超える高温域でも、やはり燃焼ガスＲの酸素濃度が低くなるほどに脱硝率が高くなることが確認された。
【００３１】
この知見を得た本願の発明者らは、本実施形態の焼却設備Ａの焼却炉３内の温度や酸素濃度を調査し、二次燃焼空気供給部１８よりも下流側の二次燃焼室１４における燃焼ガスＲの酸素濃度がドライベースで５〜６ｖｏｌ％程度を示し、二次燃焼空気供給部１８と再循環排ガス供給部２５の間の一次燃焼室１３における燃焼ガスＲの酸素濃度がドライベースで３ｖｏｌ％以下を示すことを確認した。
【００３２】
そして、この知見に基づき、本実施形態の焼却設備Ａでは、まず、二次燃焼空気供給部１８と再循環排ガス供給部２５の間の一次燃焼室１３に脱硝薬剤Ｐ１を供給する第１脱硝薬剤供給部２６を設けるようにした。すなわち、二次燃焼空気供給部１８と再循環排ガス供給部２５の間は、再循環排ガスＳ３が供給され、撹拌混合によってガス成分の濃度や温度が均一化するとともに燃焼が促進され、これにより、例えば９５０〜１０００℃前後の温度で、且つ１〜２ｖｏｌ％程度の酸素濃度で均一化する。さらに、再循環排ガスＳ３の供給によって、この温度と酸素濃度の領域が広く形成される。
【００３３】
よって、二次燃焼空気供給部１８と再循環排ガス供給部２５の間に第１脱硝薬剤供給部２６から脱硝薬剤Ｐ１を供給すると、図２に示したように、確実に７０％を超える高脱硝率で脱硝反応が生じ、短時間で、効率的且つ効果的にＮＯｘが低減することになる。
【００３４】
さらに、本実施形態の焼却設備Ａにおいては、二次燃焼空気供給部１８よりも燃焼ガスＲの流通方向下流側に脱硝薬剤Ｐ２を供給する第２脱硝薬剤供給部２７を備え、従来と同様、二次燃焼室１４にも脱硝薬剤Ｐ２を供給する。この二次燃焼室１４では、８５０〜９５０℃前後の温度で、且つ二次燃焼空気Ｓ２の供給により酸素濃度が５〜６ｖｏｌ％程度になっているため、図２に示したように、５０％以上の脱硝効率で脱硝反応が生じることになる。
【００３５】
そして、このとき、本実施形態の焼却設備Ａでは、第１脱硝薬剤供給部２６から脱硝薬剤Ｐ１を供給し、既に７０％を超える脱硝率でＮＯｘを低減させた燃焼ガスＲが流通し、この燃焼ガスＲに対して第２脱硝薬剤供給部２７から脱硝薬剤Ｐ２供給することで、さらに５０％以上の脱硝効率でＮＯｘが低減することになる。このため、本実施形態では、第１脱硝薬剤供給部２６による効率的なＮＯｘ低減に加え、さらに第２脱硝薬剤供給部２７によるＮＯｘを低減させる２段階の脱硝処理が行われるため、従来と比較し、燃焼ガスＲ（排ガスＲ’）中のＮＯｘが確実に低濃度に抑えられる。
【００３６】
また、従来のように二次燃焼室１４にのみ脱硝薬剤Ｐ２を供給する場合には、アンモニアなどの脱硝薬剤Ｐ２の投入量を多くしてしまうと、未反応の脱硝薬剤Ｐ２が生じてしまい、排ガスＲ’とともに外部にリークすることになる。このため、従来、脱硝薬剤Ｐ２の投入量を制限することが必要であった。
【００３７】
これに対し、本実施形態の焼却設備Ａでは、第１脱硝薬剤供給部２６によって二次燃焼空気供給部１８と再循環排ガス供給部２５の間の一次燃焼室１３に脱硝薬剤Ｐ１を供給するようにしているため、すなわち、１０００℃前後の高温場に脱硝薬剤Ｐ１を供給するようにしているため、脱硝薬剤Ｐ１を多く投入しても未反応になることがない。これにより、本実施形態の焼却設備Ａにおいては、従来のようにリークを防止するために脱硝薬剤Ｐ１の投入量を抑制する必要がなく、従来よりも多くの脱硝薬剤Ｐ１を投入することも可能になり、この点からも確実にＮＯｘの低減効果が得られることになる。
【００３８】
したがって、本実施形態の焼却設備Ａにおいては、排ガス処理設備２１で処理された排ガスＲ’の一部を再循環排ガスＳ３として一次燃焼空気供給部１０と二次燃焼空気供給部１８の間の燃焼ガス流路１２、すなわち一次燃焼室１３に還流させることにより、この一次燃焼室１３の燃焼ガスＲを再循環排ガスＳ３によって撹拌混合することができ、これにより、一次燃焼室１３内のガス成分の濃度や温度を均一化することができる。
【００３９】
そして、本実施形態の焼却設備Ａでは、燃焼ガスＲの酸素濃度が低くなるほど、脱硝率が高くなり、また、９００℃を超える高温域でも、燃焼ガスＲの酸素濃度が低くなるほどに脱硝率が高くなるという本願の発明者らによる知見に基づいて、第１脱硝薬剤供給部２６により、二次燃焼空気供給部１８と再循環排ガス供給部２５の間の一次燃焼室１３に脱硝薬剤Ｐ１供給するようにしたことで、短時間で、効率的且つ効果的にＮＯｘが低減することが可能になる。
【００４０】
すなわち、二次燃焼空気供給部１８と再循環排ガス供給部２５の間が、再循環排ガスＳ３の供給によって撹拌混合され、且つ燃焼が促進されて、例えば９５０〜１０００℃前後の温度で、且つ１〜２ｖｏｌ％程度の酸素濃度で均一化されるため、この二次燃焼空気供給部１８と再循環排ガス供給部２５の間に脱硝薬剤Ｐ１を供給するように第１脱硝薬剤供給部２６を設けることで、例えば７０％を超える高脱硝率で脱硝反応が生じ、短時間で、効率的且つ効果的にＮＯｘを低減することが可能になる。
【００４１】
また、従来のように二次燃焼空気供給部１８よりも燃焼ガスＲの流通方向下流側にのみ（二次燃焼室１４にのみ）脱硝薬剤Ｐ２を供給する場合には、未反応の脱硝薬剤Ｐ２のリークを防止するため、脱硝薬剤Ｐ２の投入量を抑える必要があるが、本実施形態の焼却設備Ａでは、第１脱硝薬剤供給部２６によって二次燃焼空気供給部１８と再循環排ガス供給部２５の間に脱硝薬剤Ｐ１を供給するようにしているため、すなわち、１０００℃前後の高温場に脱硝薬剤Ｐ１を供給するようにしているため、脱硝薬剤Ｐ１を多く投入しても未反応になることがない。このため、多くの脱硝薬剤Ｐ１を投入することも可能になり、この点からも、確実にＮＯｘの低減効果を得ることが可能になる。
【００４２】
よって、本実施形態の焼却設備Ａによれば、従来のように焼却炉３内の温度分布の計測手段やシミュレーション装置を組み込むことを不要にし、再循環排ガス供給部２５に加え、二次燃焼空気供給部１８と再循環排ガス供給部２５の間に脱硝薬剤Ｐ１を供給する第１脱硝薬剤供給部２６を設けるという簡易な構成で、効率的且つ効果的にＮＯｘを低減させることが可能になる。
【００４３】
また、本実施形態の焼却設備Ａにおいては、第１脱硝薬剤供給部２６に加え、二次燃焼空気供給部１８よりも燃焼ガスＲの流通方向下流側に脱硝薬剤Ｐ２を供給する第２脱硝薬剤供給部２７を備えることにより、第１脱硝薬剤供給部２６から供給した脱硝薬剤Ｐ１によってＮＯｘを低減させた燃焼ガスＲに対し、第２脱硝薬剤供給部２７から脱硝薬剤Ｐ２を供給し、さらにＮＯｘを低減させることができる。すなわち、第１脱硝薬剤供給部２６によって効率的にＮＯｘを低減させることに加え、さらに第２脱硝薬剤供給部２７によってＮＯｘを低減させる２段階の処理を施すことで、従来と比較し、燃焼ガスＲ（排ガスＲ’）中のＮＯｘを確実に低濃度に抑えることが可能になる。
【００４４】
以上、本発明に係る焼却設備の一実施形態について説明したが、本発明は上記の一実施形態に限定されるものではなく、その趣旨を逸脱しない範囲で適宜変更可能である。
【００４５】
例えば、本実施形態では、第１脱硝薬剤供給部２６に加え、二次燃焼空気供給部１８よりも下流側に脱硝薬剤Ｐ２を供給する第２脱硝薬剤供給部２７を備えて焼却設備Ａが構成されているものとしたが、本発明にかかる焼却設備は、二次燃焼空気供給部１８と再循環排ガス供給部２５の間にのみ脱硝薬剤Ｐ１を供給するように、第１脱硝薬剤供給部２６の一つの脱硝薬剤供給部を備えて構成してもよく、この場合においても、従来と比較し、十分に、効率的且つ効果的にＮＯｘを低減させることが可能である。
【００４６】
また、図３に示すように、ストーカ（燃焼部）７と第１脱硝薬剤供給部２６の間で、且つストーカ７の被焼却物１の搬送方向下流側（図中：破線領域Ｇ）の内部ガス（燃焼ガス）Ｓ４の一部を抜き出し、二次燃焼空気供給部１８から二次燃焼空気Ｓ２とともに焼却炉３内の燃焼ガス流路１２に供給する内部ガス引抜供給部３２を備えていてもよい。
【００４７】
より具体的に、ストーカ７は、被焼却物１の搬送方向上流側から乾燥ストーカ部Ｍ１、燃焼ストーカ部Ｍ２、後燃焼ストーカ部Ｍ３が設けられ、搬送方向下流端側の後燃焼ストーカ部Ｍ３では、燃焼がある程度完了しているため、風箱９から供給した一次燃焼空気Ｓ１の酸素が消費されずに流通することになる。このため、ストーカ７の被焼却物１の搬送方向下流端側の燃焼ガスＲは、例えば酸素濃度が１８〜２０ｖｏｌ％程度であり、この酸素があまり消費されていない燃焼ガス（領域Ｇの内部ガスＳ４）を引き抜き、二次燃焼空気供給部１８から二次燃焼空気Ｓ２とともに焼却炉３内に供給することで、この内部ガスＳ４の酸素を二次燃焼に利用することが可能になる。これにより、二次燃焼空気供給部１８から供給するフレッシュエア（二次燃焼空気Ｓ２）の量を減らすことができ、結果として排ガス量を減らすことができる。よって、排ガスＲ’を処理する排ガス処理設備２１などに対する負荷を軽減することが可能になる。
【符号の説明】
【００４８】
１      被焼却物
２      ホッパ
２ａ    シュート部
３      焼却炉
４      フィードテーブル
５      フィーダ
６      フィーダ駆動装置
７      ストーカ
８      送風機
９      風箱
１０    一次燃焼空気供給部
１１    灰出し口
１２    燃焼ガス流路
１３    一次燃焼室
１４    二次燃焼室
１５    熱回収ボイラ
１７    供給ノズル
１８    二次燃焼空気供給部
１９    減温塔
２０    除塵装置
２１    排ガス処理設備
２２    煙突
２３    送風機
２４    供給ノズル
２５    再循環排ガス供給部
２６    第１脱硝薬剤供給部
２７    第２脱硝薬剤供給部
３０    供給ノズル
３１    供給ノズル
３２    内部ガス引抜供給部
Ａ      焼却設備（焼却プラント）
Ｍ１    乾燥ストーカ部
Ｍ２    燃焼ストーカ部
Ｍ３    後燃焼ストーカ部
Ｐ１    脱硝薬剤
Ｐ２    脱硝薬剤
Ｒ      燃焼ガス
Ｒ’    排ガス
Ｓ１    一次燃焼空気
Ｓ２    二次燃焼空気
Ｓ３    再循環排ガス
Ｓ４    内部ガス
【図１】
2014102020.tif 000003
【図２】
2014102020.tif 000004
【図３】
2014102020.tif 000005